(57)【要約】      （修正有）【課題】使用者の脚の疲労を大きく軽減することができるとともに、汚れた際の対処も容易に行うことができるマットを提供する。【解決手段】袋状をなすマットカバー２０と、クッション性を有しマットカバーに対して入出可能に収容される内蔵マット５０とを有する、マット１０である。マットカバーのおもて面（おもてシート３０）には多数の毛が設けられている。マットカバーは長方形状をなし、その一辺に沿って入出口２５が開閉可能に設けられ、内蔵マット５０はマットカバーに対応して長方形状をなし、入出口を通してマットカバーに対して入出される。入出口は面ファスナ３５，４５によって開閉可能である。【選択図】図２Ａ
0003213303.tif 000002
【実用新案登録請求の範囲】
【請求項１】
袋状をなすマットカバーと、
クッション性を有し前記マットカバーに対して入出可能に収容される内蔵マットと
を有する、マット。
【請求項２】
請求項１に記載のマットであって、
前記マットカバーのおもて面には多数の毛が設けられている、
マット。
【請求項３】
請求項１又は請求項２に記載のマットであって、
前記マットカバーは長方形状をなし、その一辺に沿って入出口が開閉可能に設けられ、
前記内蔵マットは前記マットカバーに対応して長方形状をなし、前記入出口を通して前記マットカバーに対して入出される、
マット。
【請求項４】
請求項３に記載のマットであって、
前記入出口は面ファスナによって開閉可能である、
マット。
【請求項５】
請求項３又は請求項４に記載のマットであって、
前記マットカバーは、いずれも長方形状のおもてシートと裏シートとによって袋状をなすとともに、返し片を有し、当該マットカバーのうち前記入出口との対極に奥塞部が形成され、
前記返し片は、その基端部が前記おもてシートのうち前記入出口に対応する一辺に取り付けられ、前記おもてシートの裏面に沿って当該マットカバーの奥塞部に向かって延び、その各縁部が前記おもてシートの各辺に取り付けられ、
前記内蔵マットのうちの前記マットカバーの入出口に対応する辺及びその近傍が前記おもてシートと返し辺とに挟まれた状態で、当該内蔵マットが当該マットカバー内に収容される、
マット。
【考案の詳細な説明】
【技術分野】
【０００１】
本考案は、キッチン（台所）等において敷設等されて使用されるマットに関するものである。
【背景技術】
【０００２】
一般的に、キッチン（台所）においては、主婦等が、流し台に向かって炊事等の作業を行う。
【０００３】
ところで、炊事は毎日数回ずつ行われる作業であるとともに、各々かなりの時間を有するものであって、主婦等の使用者の脚には大きな負担となる。
【０００４】
このため、キッチンマット（マット）が使用されることが多い。すなわち、流し台の手前の床にマットが敷設され、主婦等の使用者は、そのマットの上に乗って炊事等の作業を行うのである。
しかしながら、従来の一般的なマットでは、使用者の脚の疲労を軽減する効果は限定的である。
そして、その疲労軽減効果を高めるには、そのマットを厚手のものにすることが考えられる。
【０００５】
しかしながら、キッチンマット（マット）は、炊事等の作業の際に飛散した液体等が付着することも多く、汚れやすい宿命にある。そして、汚れた際には洗濯する必要がある。
しかしながら、マットが厚手であると、本来的に、洗濯の手間が大変なものとなる、という問題がある。
【０００６】
なお、本考案に関連する先行技術として、特許文献１に記載されているものがある。
【先行技術文献】
【特許文献】
【０００７】
【特許文献１】特開２００２−１７５９２号公報
【考案の概要】
【考案が解決しようとする課題】
【０００８】
本考案は、使用者の脚の疲労を大きく軽減することができるとともに、汚れた際の対処も容易に行うことができるマットを提供することを課題とする。
【課題を解決するための手段】
【０００９】
この課題を解決するために、請求項１に係る考案は、袋状をなすマットカバーと、クッション性を有し前記マットカバーに対して入出可能に収容される内蔵マットとを有する、マットである。
【００１０】
この考案のマットでは、袋状をなすマットカバーに対して内蔵マットが収容されて形成されているため、両者の厚さに対応して厚いものとなり、その分、大きなクッション性及び断熱性を有することになる。このため、使用者がこのマットの上に立って炊事等の作業を行う際に、その使用者の脚に加わる負担が軽減され、使用者の疲労が軽減されるとともに、使用者の足が冷えることが防止される。
また、内蔵マットはマットカバーに対して入出可能に収容されているため、マット（マットカバー）が汚れた場合は、マットカバーから内蔵マットを取り出した状態でマットカバーを洗濯したり、マットカバーのみを取り替えることで対処することができる。このようにして、このマットでは、汚れた際の対処を容易に行うことができる。
【００１１】
請求項２に係る考案のマットは、請求項１に係る考案のマットであって、前記マットカバーのおもて面には多数の毛が設けられている、マットである。
【００１２】
この考案のマットでは、請求項１に係る考案のマットの作用効果に加えて、次の作用効果が得られる。
すなわち、この考案のマットでは、マットカバーのおもて面には多数の毛が設けられているため、その分、大きなクッション性及び断熱性を有することになる。このため、使用者がこのマットの上に立って炊事等の作業を行う際に、その使用者の脚に加わる負担がより大きく軽減され、使用者の疲労がより大きく軽減されるとともに、使用者の足が冷えることがより大きく防止される。
【００１３】
請求項３に係る考案は、請求項１又は請求項２に係る考案のマットであって、前記マットカバーは長方形状をなし、その一辺に沿って入出口が開閉可能に設けられ、前記内蔵マットは前記マットカバーに対応して長方形状をなし、前記入出口を通して前記マットカバーに対して入出される、マットである。
【００１４】
この考案のマットでは、請求項１又は請求項２に係る考案のマットの作用効果に加えて、次の作用効果が得られる。
すなわち、この考案のマットでは、長方形状をなすマットカバーに対して、その一辺に沿って設けられた入出口を通して、当該マットカバーに対応して長方形状をなす内蔵マットが入出されるため、内蔵マットをマットカバーに対して円滑に入出させることが可能である。
また、入出口が開閉可能であるため、内蔵マットをマットカバーに対して入出する際にのみ入出口が開状態とされ、内蔵マットがマットカバー内に収容された状態で入出口が閉状態とされることによって、内蔵マットがマットカバー内に確実に保持される。
【００１５】
請求項４に係る考案は、請求項３に係る考案のマットであって、前記入出口は面ファスナによって開閉可能である、マットである。
【００１６】
この考案のマットでは、請求項３に係る考案のマットの作用効果に加えて、次の作用効果が得られる。
すなわち、この考案のマットでは、入出口が面ファスナによって開閉可能であるため、入出口を容易に開閉することができる。
【００１７】
請求項５に係る考案は、請求項３又は請求項４に係る考案のマットであって、前記マットカバーは、いずれも長方形状のおもてシートと裏シートとによって袋状をなすとともに、返し片を有し、当該マットカバーのうち前記入出口との対極に奥塞部が形成され、前記返し片は、その基端部が前記おもてシートのうち前記入出口に対応する一辺に取り付けられ、前記おもてシートの裏面に沿って当該マットカバーの奥塞部に向かって延び、その各縁部が前記おもてシートの各辺に取り付けられ、前記内蔵マットのうちの前記マットカバーの入出口に対応する辺及びその近傍が前記おもてシートと返し辺とに挟まれた状態で、当該内蔵マットが当該マットカバー内に収容される、マットである。
【００１８】
この考案のマットでは、請求項３又は請求項４に係る考案のマットの作用効果に加えて、次の作用効果が得られる。
すなわち、この考案のマットでは、内蔵マットがマットカバー内に収容された状態において、内蔵マットのうちのマットカバーの入出口に対応する辺及びその近傍がおもてシートと返し片とによって挟まれるため、内蔵マットは、マットカバー内により確実に保持されることになる。
【図面の簡単な説明】
【００１９】
【図１Ａ】本考案の一実施例のマットを示す斜視図（斜め上方から見た図）である。
【図１Ｂ】本考案の一実施例のマットを示す斜視図（斜め下方から見た図）である。
【図２Ａ】本考案の一実施例のマットを示す分解斜視図（斜め上方から見た図）である。
【図２Ｂ】本考案の一実施例のマットを示す分解斜視図（斜め下方から見た図）である。
【図３】本考案の一実施例のマットを示す縦断面図である。その長手方向に延びる鉛直面で仮想的に切断した端面図である。
【図４】本考案の一実施例のマットを示す縦断面図である。図３におけるIV−IV線で仮想的に切断した端面図である。
【考案を実施するための形態】
【００２０】
次に、本考案の一実施例について、図面に基づいて説明する。
図１Ａ及び図１Ｂに示すように、このマット（キッチンマット）１０は、全体として長方形状（帯状）をしており、図１Ａ〜図４に示すように、マットカバー２０及び内蔵マット５０によって形成されている。
【００２１】
図２Ａ〜図４に示すように、マットカバー２０は長方形状の袋状をなしており、撥水性を有している。
すなわち、マットカバー２０は、おもてシート３０及び裏シート４０を有しており、おもてシート３０には返し片３４が設けられている。いずれも布によって形成されている。
マットカバー２０のおもて面（おもてシート３０のおもて面）には、多数の毛が設けられている。
マットカバー２０のうち、少なくとも、マットおもてシート３０及びこれに設けられた多数の毛、並びに、裏シート４０は撥水性を有する素材で形成され、マットカバー２０は撥水性を有している。
【００２２】
おもてシート３０及び裏シート４０は、いずれも長方形状をしており、両者はほぼ同一の大きさを有している。
すなわち、図３及び図４等に示すように、おもてシート３０は、一対の長辺３１及び一対の短辺（第１短辺３２ａ・第２短辺３２ｂ）を有している。同様に、裏シート４０も、一対の長辺４１及び一対の短辺（第１短辺４２ａ・第２短辺４２ｂ）を有している。
【００２３】
おもてシート３０及び裏シート４０の一対の長辺３１，４１（正確にはその近傍を含む。以下同様）同士が相互に縫い付けられている（図４）とともに、おもてシート３０の第１短辺３２ａと裏シート４０の第１短辺４２ａとが縫い付けられて奥塞部２４が形成されている（図３）。なお、実際には、その縫い付けられた部分に対して帯状のカバーが設けられているが、その図示は省略する。
こうして、おもてシート３０と裏シート４０とは各々の３辺同士において結合され、マットカバー２０は袋状をしている。
【００２４】
図２Ａ〜図３に示すように、裏シート４０の両長辺４１の長さはおもてシート３０の両長辺３１の長さよりも若干短く、裏シート４０の第２短辺４２ｂは、おもてシート３０の第２短辺３２ｂよりも奥塞部２４の側に位置している。
【００２５】
図３及び図４に示すように、返し片３４は、おもてシート３０の第２短辺３２ｂの近傍において、おもてシート３０の裏面に対して設けられている。返し片３４は、おもてシート３０及び裏シート４０の幅とほぼ同一の幅を有している。
返し片３４は、その基端部においておもてシート３０の第２短辺３２ｂに対して縫い付けられており、奥塞部２４に向かって短く延びている。
返し片３４の左右の各縁部は、おもてシート３０の各長辺３１及び裏シート４０の各長辺４１に挟まれ、両者に対して縫い付けられている。
【００２６】
図２Ａ〜図４に示すように、返し片３４と裏シート４０の第２短辺４２ｂとによって、入出口２５が形成されている。入出口２５は、面ファスナによって開閉可能である。
すなわち、返し片３４（その裏シート４０側の面）には面ファスナ（オス）３５が設けられ、それに対応して、裏シート４０（その返し片３４の側の面）には面ファスナ（メス）４５が設けられている。
面ファスナ（オス）３５と面ファスナ（メス）４５とが分離／結合されることによって、入出口２５が開閉される。
【００２７】
図２Ａ〜図４に示すように、内蔵マット５０は、マットカバー２０の内部空間（符号省略）内に対して、入出可能に収容されている。
内蔵マット５０は、ほぼ長方形状をしており、マットカバー２０の内部空間よりやや小さい大きさを有している。すなわち、内蔵マット５０は、一対の長辺５１（図４）及び一対の短辺（第１短辺５２ａ・第２短辺５２ｂ）（図３）を有している。
内蔵マット５０は所定の厚みを有するとともに、クッション性を有している。
内蔵マット５０がマットカバー２０の内部空間内に収容された状態で、内蔵マット５０のうちの第２短辺５２ｂの近傍は、おもてシート３０と返し片３４とによって挟まれている。すなわち、返し片３４の先端部は、内蔵マット５０のうちの第２短辺５２ｂよりも奥塞部２４の側に位置している。
【００２８】
次に、このマット１０の使用方法及び作用効果について説明する。
図１Ａに示すように、このマット１０は、マットカバー２０の内部空間内に内蔵マット５０が収容されているため、内蔵マット５０の厚さに対応して厚いものとなるとともに、クッション性を有する。
このため、主婦等の使用者がこのマット１０の上に立って炊事等の作業を行う際に、その使用者の脚に加わる負担が軽減され、疲労が軽減される。
【００２９】
また、炊事等の作業の際には、液体等が飛散して、その液体等がこのマット１０に付着して、このマット１０が汚れた場合には、次のようにされる。
すなわち、このマット１０は、マットカバー２０の内部空間内に内蔵マット５０が入出可能に収容されて形成されているため、その際は、マットカバー２０の内部空間内から内蔵マット５０が取り出される。
そして、そのマットカバー２０が洗濯され、又は、別のマットカバー２０が用意され、そのマットカバー２０の内部空間内に内蔵マット５０が収容される。
このようにして、このマット１０では、汚れた際の対処を容易に行うことができる。
【００３０】
マットカバー２０に対する内蔵マット５０の入出作業は、次のようにされる。
図２Ａ〜図３に示すように、マットカバー２０の内部空間内に内蔵マット５０を収容する際は、面ファスナ（オス）３５と面ファスナ（メス）４５とが分離して、返し片３４と裏シート４０とが分離した状態で、裏シート４０（第２短辺４２ｂの側の部分）を返し片３４及びおもてシート３０から離隔させる。
次に、返し片３４と裏シート４０との間の入出口２５を通して、内蔵マット５０をマットカバー２０の内部空間内に収容する（その際、返し片３４はおもてシート３０に沿っている）。
次に、一時的に返し片３４及び内蔵マット５０を適宜折り曲げることによって、返し片３４（その先端部の側の部分）とおもてシート３０とによって、内蔵マット５０（そのうちの第２短辺５２ｂ及びその近傍）を挟む状態とする。
次に、面ファスナ（オス）３５と面ファスナ（メス）４５とを結合させて返し片３４と裏シート４０とを結合させて、入出口２５を閉状態とさせる。
【００３１】
一方、マットカバー２０の内部空間内から内蔵マット５０を取り出す際は、上述と逆にされる。
すなわち、面ファスナ（オス）３５と面ファスナ（メス）４５とを分離して、返し片３４と裏シート４０とを分離させ、裏シート４０（第２短辺４２ｂの側の部分）を返し片３４及びおもてシート３０から離隔させる。
次に、一時的に返し片３４及び内蔵マット５０を適宜折り曲げることによって、返し片３４（その先端部の側の部分）とおもてシート３０とによって内蔵マット５０（そのうちの第２短辺５２ｂ及びその近傍）を挟む状態を解除させ、返し片３４がおもてシート３０に沿った状態とする。
次に、返し片３４と裏シート４０との間の入出口２５を通して、内蔵マット５０をマットカバー２０の内部空間内から取り出す。
以上のように、マットカバー２０に対する内蔵マット５０の入出作業を容易に行うことができる。
【００３２】
なお、上記のものはあくまで本考案の一実施例にすぎず、当業者の知識に基づき種々の変更を加えた態様で本考案を実施できることはもちろんである。
例えば、本考案のマットは、長方形状に限らず、他の形状をしていてもよい。
また、本考案のマットは、キッチンに限らず、リビングルームにおいて使用されてもよい。また、床の上のみでなく、ソファの上に使用されてもよい。
【符号の説明】
【００３３】
１０  マット
２０  マットカバー
２５  入出口
３０  おもてシート
３４  返し片
３５  面ファスナ（オス）
４０  裏シート
４５  面ファスナ（メス）
５０  内蔵マット
【図１Ａ】
0003213303.tif 000003
【図１Ｂ】
0003213303.tif 000004
【図２Ａ】
0003213303.tif 000005
【図２Ｂ】
0003213303.tif 000006
【図３】
0003213303.tif 000007
【図４】
0003213303.tif 000008